(57)【要約】【課題】コンピュータ切替システムの切替方法を提供することを課題とする。【解決手段】本発明ではコンピュータ切替システムの切替方法を開示し、これにはカーソル制御装置1台、少なくともコンピュータ本体２台、キーボード１個、及び、少なくともそれぞれ該コンピュータ本体２台と対応するディスプレイ２台を初期化するステップ（Ｓ１）と、該カーソル制御装置に配置したスイッチを特定方位へ移動させることで操作したいコンピュータ本体、及び、その対応するディスプレイを選択するステップ（Ｓ２）と、該選ばれたコンピュータ本体、及び、その対応するディスプレイを操作するステップ（Ｓ３）と、操作終了のステップ（Ｓ４）と、別のコンピュータ本体、及び、その対応するディスプレイを操作する必要があるかを判断し、必要がある場合、ステップ（Ｓ２）へ戻るステップ（Ｓ５）、及び、終了ステップ（Ｓ６）と、を含む。【選択図】図１
2010067268.tif 000002
【特許請求の範囲】
【請求項１】
カーソル制御装置1台、少なくともコンピュータ本体２台、キーボード１個、及び、少なくともそれぞれ該コンピュータ本体２台と対応するディスプレイ２台を初期化するステップ（Ｓ１）と、
前記カーソル制御装置に配置したスイッチを特定方位へ移動させることで操作したいコンピュータ本体、及び、その対応するディスプレイを選択するステップ（Ｓ２）と、
前記選ばれたコンピュータ本体、及び、その対応するディスプレイを操作するステップ（Ｓ３）と、
操作終了のステップ（Ｓ４）と、
別のコンピュータ本体、及び、その対応するディスプレイを操作する必要があるかを判断し、必要がある場合、ステップ（Ｓ２）へ戻るステップ（Ｓ５）、及び、
終了ステップ（Ｓ６）と、を含むことを特徴とするコンピュータ切替システムの切替方法。
【請求項２】
前記ステップ（Ｓ１）と前記ステップ（Ｓ２）の間において、更に、
（１Ａ）現在のコンピュータ本体、及び、その対応するディスプレイを実行される必要があるか、前記コンピュータ本体、及び、その対応するディスプレイと前記カーソル制御装置、及び、前記キーボードとが電気的に接続されているかを判断するステップ、及び、
（１Ｂ）前記コンピュータ本体を操作してからステップ（Ｓ４）を実施するステップと、を含むことを特徴とする請求項１に記載するコンピュータ切替システムの切替方法。
【請求項３】
前記ステップ（Ｓ２）には、
（２Ａ）第１コンピュータ本体を操作する必要があるかを判断し、必要がない場合、ステップ（２Ｄ）を実施するステップと、
（２Ｂ）前記カーソル制御装置に配置したスイッチを第１特定方位へ移動させるステップと、
（２Ｃ）前記第１コンピュータ本体を操作してからステップ（Ｓ４）を実施するステップと、
（２Ｄ）第２コンピュータ本体を操作する必要があるかを判断し、必要がない場合、ステップ（２Ｇ）を実施するステップと、
（２Ｅ）前記カーソル制御装置に配置したスイッチを第２特定方位へ移動させるステップと、
（２Ｆ）前記第２コンピュータ本体を操作してからステップ（Ｓ４）を実施するステップ、及び、
（２Ｇ）第Ｎ台のコンピュータ本体を操作する必要があるかを継続して判断し、Ｎが２より大きい整数で、その操作フローの論理はステップ（２Ａ）乃至ステップ（２Ｆ）に類似し、その後にステップ（Ｓ４）を実施するステップと、を含むことを特徴とする請求項１に記載するコンピュータ切替システムの切替方法。
【請求項４】
前記カーソル制御装置に配置した前記スイッチはボールであることを特徴とする請求項１に記載するコンピュータ切替システムの切替方法。
【請求項５】
前記カーソル制御装置に配置した前記スイッチはホイールであることを特徴とする請求項１に記載するコンピュータ切替システムの切替方法。
【請求項６】
前記カーソル制御装置に配置した前記スイッチはスクロール制御板であることを特徴とする請求項１に記載するコンピュータ切替システムの切替方法。
【請求項７】
カーソル制御装置1台、少なくともコンピュータ本体２台、キーボード１個、及び、ディスプレイ１台を初期化するステップ（Ｓ１）と、
前記カーソル制御装置に配置したスイッチを特定方位へ移動させることで操作したいコンピュータ本体を選択するステップ（Ｓ２）と、
前記選ばれたコンピュータ本体を操作するステップ（Ｓ３）と、
操作終了のステップ（Ｓ４）と、
別のコンピュータ本体を操作する必要があるかを判断し、必要がある場合、ステップ（Ｓ２）へ戻るステップ（Ｓ５）、及び、
終了ステップ（Ｓ６）と、を含むことを特徴とするコンピュータ切替システムの切替方法。
【請求項８】
前記ステップ（Ｓ１）と前記ステップ（Ｓ２）の間において、更に、
（１Ａ）現在のコンピュータ本体、及び、その対応するディスプレイを実行される必要があるか、前記コンピュータ本体と前記カーソル制御装置、前記キーボード、及び、前記ディスプレイとが電気的に接続されているかを判断するステップ、及び、
（１Ｂ）前記コンピュータ本体を操作してからステップ（Ｓ４）を実施するステップと、を含むことを特徴とする請求項7に記載するコンピュータ切替システムの切替方法。
【請求項９】
前記ステップ（Ｓ２）には、
（２Ａ）第１コンピュータ本体を操作する必要があるかを判断し、必要がない場合、ステップ（２Ｄ）を実施するステップと、
（２Ｂ）前記カーソル制御装置に配置したスイッチを第１特定方位へ移動させるステップと、
（２Ｃ）前記第１コンピュータ本体を操作してからステップ（Ｓ４）を実施するステップと、
（２Ｄ）第２コンピュータ本体を操作する必要があるかを判断し、必要がない場合、ステップ（２Ｇ）を実施するステップと、
（２Ｅ）前記カーソル制御装置に配置したスイッチを第２特定方位へ移動させるステップと、
（２Ｆ）前記第２コンピュータ本体を操作してからステップ（Ｓ４）を実施するステップ、及び、
（２Ｇ）第Ｎ台のコンピュータ本体を操作する必要があるかを継続して判断し、Ｎが２より大きい整数で、その操作フローの論理はステップ（２Ａ）乃至ステップ（２Ｆ）に類似し、その後にステップ（Ｓ４）を実施するステップと、を含むことを特徴とする請求項７に記載するコンピュータ切替システムの切替方法。
【請求項１０】
前記カーソル制御装置に配置した前記スイッチはボールであることを特徴とする請求項７に記載するコンピュータ切替システムの切替方法。
【請求項１１】
前記カーソル制御装置に配置した前記スイッチはホイールであることを特徴とする請求項７に記載するコンピュータ切替システムの切替方法。
【請求項１２】
前記カーソル制御装置に配置した前記スイッチはスクロール制御板であることを特徴とする請求項７に記載するコンピュータ切替システムの切替方法。
【発明の詳細な説明】
【技術分野】
【０００１】
本発明は、コンピュータ切替器の切替方法に関し、特に、マウスに配置したスイッチによりコンピュータ切替システムに対して切替を行う切替方法に関する。
【背景技術】
【０００２】
コンピュータ切替器（例えばＫＶＭ（キーボード、ビデオ、マウス切替器）とKM（キーボード、マウス切替器)が未だ開発されていない時、利用者は同時に２台のコンピュータを操作する場合、必ず２組のキーボードとマウスを使用しなければならず、同時に３台のコンピュータを操作する場合、必ず３組のキーボードとマウスを使用しなければならなかった。こうすると接続ケーブルが大量に増え、テーブルの上も乱雑になる現象が置き、しかも複数組のキーボードとマウスを購入する必要があるため、資源の浪費が起きていた。これら装置には切替器１台、少なくともコンピュータ本体２台、キーボード１個及び少なくとも該２台のコンピュータ本体と対応するディスプレイ２台であった。
【０００３】
上記の問題を解決するため、ＫＶＭコンピュータ切替器が開発された時、複数台のコンピュータ本体に接続でき、また１組のキーボード、マウスとディスプレイを利用してこの複数台のコンピュータ本体を制御できるようになった。こうすることで、キーボードとマウスの購買コストを大幅に削減でき、且つ接続ケーブルの本数を減らすことができたため、大量の接続ケーブルによるテーブルの上の乱雑な現象を解決できた。同じような道理で、ＫＭコンピュータ切替器も大量の接続ケーブルによるテーブル上の乱雑な現象を解決できるようになった。
【０００４】
ＫＶＭコンピュータ切替器或いはＫＭコンピュータ切替器を問わず、いずれも２つの方式により制御権を１台のコンピュータ本体からもう１台のコンピュータ本体に切り替える。第１の方式はＫＶＭ／ＫＭ切替器に配置したボタンを有効にし、ハードウエア方式で制御権を切り替える。第２の方式は、ディスプレイに表示するカーソルを特定アイコンに移動し、また該特定アイコンが代表するプログラムを実行し、ソフトウエア方式で制御権を切り替える。しかしながら、第１の方式において、利用者は、視線をＫＶＭ／ＫＭ切替器に移動し、ボタンを見て有効にさせる制御権の切り替えを行わなければならない。利用者は、制御権をよく切り替えて異なるコンピュータを制御する必要がある場合、この方式では利用者に非常に不便を感じさせることになる。第２の方式において、該特定アイコンは非常に小さいため利用者が正確にカーソルをその上に移動できず、その隣接するアイコンに移動して他のプログラムを実行させてしまう可能性があった。
【０００５】
このため、如何にしてコンピュータ切替システムについて簡単な操作を通じて制御権を切り替えることができるかが意味のある考え方である。
【発明の概要】
【発明が解決しようとする課題】
【０００６】
これにより、本発明は、切替便利の効果を実現できるコンピュータ切替システムの切替方法を提供することを主目的としている。
【０００７】
上記の目的を達成するために、本発明の技術は以下のように実現する。コンピュータ切替システムの切替方法には、カーソル制御装置1台、少なくともコンピュータ本体２台、キーボード１個及び少なくともそれぞれ該コンピュータ本体２台と対応するディスプレイ２台を初期化するステップ（Ｓ１）と、該カーソル制御装置に配置したスイッチを特定方位へ移動させることで操作したいコンピュータ本体及びその対応するディスプレイを選択するステップ（Ｓ２）と、該選ばれたコンピュータ本体及びその対応するディスプレイを操作するステップ（Ｓ３）と、操作終了のステップ（Ｓ４）と、別のコンピュータ本体及びその対応するディスプレイを操作する必要があるかを判断し、必要がある場合、ステップ（Ｓ２）へ戻るステップ（Ｓ５）、及び終了ステップ（Ｓ６）と、を含む。
【０００８】
本発明の別の実施例では、コンピュータ切替システムの切替方法を開示し、これには、カーソル制御装置1台、少なくともコンピュータ本体２台、キーボード１個及びディスプレイ１台を初期化するステップ（Ｓ１）と、該カーソル制御装置に配置したスイッチを特定方位へ移動させることで操作したいコンピュータ本体を選択するステップ（Ｓ２）と、該選ばれたコンピュータ本体を操作するステップ（Ｓ３）と、操作終了のステップ（Ｓ４）と、別のコンピュータ本体を操作する必要があるかを判断し、必要がある場合、ステップ（Ｓ２）へ戻るステップ（Ｓ５）、及び終了ステップ（Ｓ６）と、を含む。
【０００９】
当該技術分野における熟練者は、下記の図面と詳細な説明を閲覧すると、本発明のその他システム、方法、特徴及び長所を理解できる。本発明の精神を逸脱しない範囲内において種々の改良変更をなし得ることは、添付されている特許請求の範囲内に含めるものであるのが勿論である。
【図面の簡単な説明】
【００１０】
【図１】本発明の切替フローチャートである。
【図２】本発明の別の切替フローチャートである。
【発明を実施するための形態】
【００１１】
本発明は、主にコンピュータ切替システムの切替方法を提供し、該方法が切替機能付きカーソル制御装置を利用して切替を行う。こうすることで、コンピュータ切替システムの切替ステップを大幅に減らし、且つコンピュータ切替システム内の必要な構成部材も大幅に減少でき、利用者が切替操作を行った時、非常に利便性を感じさせる。
【００１２】
まず本発明の切替フローチャートについて、図１を参照にして説明する。図に示すように本発明のコンピュータ切替システムの切替方法には下記のステップを含む。まずカーソル制御装置1台、少なくともコンピュータ本体２台、キーボード１個及び少なくともそれぞれ該コンピュータ本体２台と対応するディスプレイ２台を初期化する（ステップＳ１）。このステップは該カーソル制御装置１台、コンピュータ本体２台、該キーボード１個及びそれぞれ該コンピュータ本体２台と対応するディスプレイ２台を一体（ＫＶＭ切替器を通じて）として連結し、各コンピュータ本体から生成する各映像信号はその対応するディスプレイに表示される。この時、利用者はカーソル制御装置、キーボード及びディスプレイを利用して該ディスプレイと対応するコンピュータ本体を制御できる。連結を終えた後、利用者は現在のコンピュータ本体及びその対応するディスプレイを実行される必要があるか、該コンピュータ本体及びその対応するディスプレイと該カーソル制御装置及び該キーボードとが電気的に接続されているかを判断する（ステップＳ２）。このステップはステップＳ１の接続を経た後、制御権をプレセットしたコンピュータ本体及びその対応するディスプレイを操作する必要があるか、必要がある場合、ステップＳ３へ進み、必要がない場合、ステップＳ４へ進む。ステップＳ３において、利用者は制御権をプレセットしたコンピュータ本体及びその対応するディスプレイを操作し、操作を終えると、ステップＳ１１の操作完了ステップへ進む。
【００１３】
制御権をプレセットされたコンピュータ本体及びその対応するディスプレイを操作する必要がない場合、或いはいずれかのコンピュータ本体はプレセット制御権を備えていない場合、ステップＳ４において、利用者は第１コンピュータ本体を操作する必要があるかを判断し、必要がある場合、第１コンピュータ本体を操作（ステップＳ６）するため、直ちに該カーソル制御装置に配置したスイッチを第１特定方位へ移動させなければならない（ステップＳ５）。第１コンピュータ本体を操作する必要がない場合、利用者は第２コンピュータ本体を操作する必要があるかを判断する（ステップＳ７）。必要がある場合、第２コンピュータ本体を操作（ステップＳ９）するため、直ちに該カーソル制御装置に配置したスイッチを第２特定方位へ移動させなければならない（ステップＳ８）。このコンピュータ切替システムにＮ（Ｎが２より大きい整数）台のコンピュータ本体とＮ台のコンピュータ本体と対応するディスプレイを接続しており、且つ第１コンピュータ本体と第２コンピュータ本体はいずれも操作する必要がない場合、ステップＳ１０において、利用者は第Ｎ台のコンピュータ本体を操作する必要があるかを継続して判断しなければならない。その操作フローの論理はステップＳ４乃至ステップＳ１０に類似するため、ここで再度重複して記述しない。ステップＳ６、Ｓ９及びＳ１０において、第１コンピュータ本体、第２コンピュータ本体及び第Ｎコンピュータ本体への操作が終了すると、ステップＳ１１の操作完了ステップへ進む。
【００１４】
ステップＳ１１において操作完了後、利用者はまたその他のコンピュータ本体を操作する必要があるかを判断する（ステップＳ１２）。必要がある場合、ステップＳ４に戻る。必要がない場合、操作する必要がある任意のコンピュータ本体がないことを示し、本切替フローを終了できる（ステップＳ１３）。
【００１５】
その他、カーソル制御装置に配置したスイッチはボール、ホイール或いはスクロール制御板とすることができ、利用者にその回転または移動方向を変更させることができる。これにより、利用者はカーソル制御装置に配置したスイッチの方向の制御を通じて操作したいコンピュータ本体及びその対応するディスプレイを制御でき、その切替方法は非常に便利である。
【００１６】
次に、本発明の別の切替フローチャートについて、図２を参照にして説明する。図に示すように本発明のコンピュータ切替システムの切替方法には下記のステップを含む。まずカーソル制御装置1台、少なくともコンピュータ本体２台、キーボード１個及びディスプレイ１台を初期化する（ステップＳ２０）。このステップは該カーソル制御装置１台、コンピュータ本体２台、該キーボード１個及びディスプレイ１台を一体（ＫＭ切替器を通じて）として連結し、各コンピュータ本体から生成する各映像信号は該ディスプレイに表示される。この時、利用者はカーソル制御装置、キーボード及びディスプレイを利用してコンピュータ本体を制御できる。連結を終えた後、利用者は現在のコンピュータ本体を実行される必要があるか、該コンピュータ本体と該カーソル制御装置、該キーボード及び該ディスプレイとが電気的に接続されているかを判断する（ステップＳ２１）。このステップはステップＳ２０の接続を経た後、制御権をプレセットしたコンピュータ本体を操作する必要があるか、必要がある場合、ステップＳ２２へ進み、必要がない場合、ステップＳ２３へ進む。ステップＳ２２において、利用者は制御権をプレセットしたコンピュータ本体を操作し、操作を終えると、ステップＳ３０の操作完了ステップへ進む。
【００１７】
制御権をプレセットされたコンピュータ本体を操作する必要がない場合、或いはいずれかのコンピュータ本体はプレセット制御権を備えていない場合、ステップＳ２３において、利用者は第１コンピュータ本体を操作する必要があるかを判断し、必要がある場合、第１コンピュータ本体を操作（ステップＳ２５）するため、直ちに該カーソル制御装置に配置したスイッチを第１特定方位へ移動させなければならない（ステップＳ２４）。第１コンピュータ本体を操作する必要がない場合、利用者は第２コンピュータ本体を操作する必要があるかを判断する（ステップＳ２６）。必要がある場合、第２コンピュータ本体を操作（ステップＳ２７）するため、直ちに該カーソル制御装置に配置したスイッチを第２特定方位へ移動させなければならない（ステップＳ２８）。このコンピュータ切替システムにＮ（Ｎが２より大きい整数）台のコンピュータ本体とＮ台のコンピュータ本体と対応するディスプレイを接続しており、且つ第１コンピュータ本体と第２コンピュータ本体はいずれも操作する必要がない場合、ステップＳ２９において、利用者は第Ｎ台のコンピュータ本体を操作する必要があるかを継続して判断しなければならない。その操作フローの論理はステップＳ２３乃至ステップＳ２９に類似するため、ここで再度重複して記述しない。ステップＳ２５、Ｓ２８及びＳ２９において、第１コンピュータ本体、第２コンピュータ本体及び第Ｎコンピュータ本体への操作が終了すると、ステップＳ３０の操作完了ステップへ進む。
【００１８】
ステップＳ３０において操作完了後、利用者はまたその他のコンピュータ本体を操作する必要があるかを判断する（ステップＳ３１）。必要がある場合、ステップＳ２３に戻る。必要がない場合、操作する必要がある任意のコンピュータ本体がないことを示し、本切替フローを終了できる（ステップＳ３２）。
【００１９】
その他、カーソル制御装置に配置したスイッチはボール、ホイール或いはスクロール制御板とすることができ、利用者にその回転または移動方向を変更させることができる。これにより、利用者はカーソル制御装置に配置したスイッチの方向の制御を通じて操作したいコンピュータ本体及びその対応するディスプレイを制御でき、その切替方法は非常に便利である。
【符号の説明】
【００２０】
Ｓ１：カーソル制御装置1台、少なくともコンピュータ本体２台、キーボード１個及び少なくともそれぞれ該コンピュータ本体２台と対応するディスプレイ２台を初期化する。
Ｓ２：現在のコンピュータ本体及びその対応するディスプレイを実行される必要があるか、該コンピュータ本体及びその対応するディスプレイと該カーソル制御装置及び該キーボードとが電気的に接続されているかを判断する。
Ｓ３：該コンピュータ本体及びその対応するディスプレイを操作する。
Ｓ４：第１コンピュータ本体を操作する必要があるかを判断する。
Ｓ５：該カーソル制御装置に配置したスイッチを第１特定方位へ移動させる。
Ｓ６：第１コンピュータ本体を操作する。
Ｓ７：第２コンピュータ本体を操作する必要があるかを判断する。
Ｓ８：該カーソル制御装置に配置したスイッチを第２特定方位へ移動させる。
Ｓ９：第２コンピュータ本体を操作する。
Ｓ１０：第Ｎ台コンピュータ本体を操作する必要があるかを継続して判断し、その操作フローの論理がステップＳ４乃至ステップＳ１０に類似する。
Ｓ１１：操作完了。
Ｓ１２:その他のコンピュータ本体を操作する必要があるかを判断する。
Ｓ１３：終了。
Ｓ２０：カーソル制御装置1台、少なくともコンピュータ本体２台、キーボード１個及びディスプレイ１台を初期化する。
Ｓ２１：現在のコンピュータ本体を実行される必要があるか、該コンピュータ本体と該カーソル制御装置、該キーボード及び該ディスプレイとが電気的に接続されているかを判断する。
Ｓ２２：該コンピュータ本体を操作する。
Ｓ２３：第１コンピュータ本体を操作する必要があるかを判断する。
Ｓ２４：該カーソル制御装置に配置したスイッチを第１特定方位へ移動させる。
Ｓ２５：第１コンピュータ本体を操作する。
Ｓ２６：第２コンピュータ本体を操作する必要があるかを判断する。
Ｓ２７：該カーソル制御装置に配置したスイッチを第２特定方位へ移動させる。
Ｓ２８：第２コンピュータ本体を操作する。
Ｓ２９：第Ｎ台コンピュータ本体を操作する必要があるかを継続して判断し、その操作フローの論理がステップＳ２３乃至ステップＳ２９に類似する。
Ｓ３０：操作完了。
Ｓ３１：その他のコンピュータ本体を操作する必要があるかを判断する。
Ｓ３２：終了。
【図１】
2010067268.tif 000003
【図２】
2010067268.tif 000004